(57)【要約】【課題】インターネット上のＥＣサイトにて商品を購入する際に、かけ紙等を選択し、表書きや名前を入力することを可能とし、加えて、最終的に商品にのし紙等が掛けられた状態を提示して、顧客に確認せしめる。【解決手段】本発明の商品包装選択表示装置は、クライアント端末装置からの商品選択情報に基づいて第１の記憶手段より商品情報を読み出し、当該商品情報に基づいて第２の記憶手段より商品包装情報を読み出し、上記商品情報及び上記商品包装情報に対応する商品包装選択情報を通信手段を介して上記クライアント端末装置に送信して商品包装状態の選択を促し、上記クライアント端末装置からの指定情報に対応する商品包装状態に係る画像イメージを生成し、当該画像イメージを上記通信手段を介して上記クライアント端末装置に送信するよう制御する制御手段を有している。【選択図】　　図１
2004046635.tif 000002
【特許請求の範囲】
【請求項１】
クライアント端末と通信する通信手段と、
少なくとも商品情報を予め記憶する第１の記憶手段と、
少なくとも商品包装情報を予め記憶する第２の記憶手段と、
上記クライアント端末装置からの商品選択情報に基づいて第１の記憶手段より商品情報を読み出し、当該商品情報に基づいて第２の記憶手段より商品包装情報を読み出し、上記商品情報及び上記商品包装情報に対応する商品包装選択情報を上記通信手段を介して上記クライアント端末装置に送信して商品包装状態の選択を促し、上記クライアント端末装置からの指定情報に対応する商品包装状態に係る画像イメージを生成し、当該画像イメージを上記通信手段を介して上記クライアント端末装置に送信するよう制御する制御手段と、
を有することを特徴とする商品包装選択表示装置。
【請求項２】
上記商品情報に対応した画像イメージを記憶する第３の記憶手段を更に有し、上記制御手段は、上記商品情報に対応する画像イメージを当該第３の記憶手段より読み出し、上記指定情報と当該画像イメージに基づいて商品包装状態に係る画像イメージを生成することを更なる特徴とする請求項１に記載の商品包装選択表示装置。
【請求項３】
上記商品包装選択情報とは、商品包装選択画面を生成するための情報であり、当該商品包装選択画面では、のしの選択肢、水引の選択肢の少なくともいずれかを提示することを更なる特徴とする請求項１に記載の商品包装選択表示装置。
【請求項４】
上記商品包装選択情報とは、商品包装選択画面を生成するための情報であり、当該商品包装選択画面では、のしの選択肢、水引の選択肢の少なくともいずれかを所定の画像イメージを含む態様で提示することを更なる特徴とする請求項１に記載の商品包装選択表示装置。
【請求項５】
上記商品包装選択情報とは、商品包装選択画面を生成するための情報であり、当該商品包装選択画面では、複数の用途に対応したのし及び水引の組合せの選択肢を所定の画像イメージを含む態様で提示することを更なる特徴とする請求項１に記載の商品包装選択表示装置。
【請求項６】
クライアント端末と通信自在な商品包装選択表示装置による商品包装選択表示方法において、
制御手段により、
上記クライアント端末装置からの商品選択情報に基づいて第１の記憶手段より商品情報を読み出し、当該商品情報に基づいて第２の記憶手段より商品包装情報を読み出し、上記商品情報及び上記商品包装情報に対応する商品包装選択情報を上記通信手段を介して上記クライアント端末装置に送信して商品包装状態の選択を促し、
上記クライアント端末装置からの指定情報に対応する商品包装状態に係る画像イメージを生成し、当該画像イメージを上記通信手段を介して上記クライアント端末装置に送信するよう制御する、
ことを特徴とする商品包装選択表示方法。
【発明の詳細な説明】
【０００１】
【発明の属する技術分野】
本発明は、例えばクライアントが購入を所望とする贈呈用の商品の包装状態を選択し表示するための装置及び方法に係り、特にインターネット上のＥＣサイトにて商品を購入する際に、当該商品の包装サイズに好適なのし紙等の表示を行って、当該のし紙等による包装状態を画像イメージに基づいて選択することができる商品包装選択表示装置及び商品包装選択表示方法に関する。
【０００２】
【従来の技術】
一般的に、お中元、お歳暮、慶事、弔事等にて商品を贈る際には、のし紙（かけ紙）が商品に掛けられる。かかる商品を店舗にて購入する際は、顧客は自己が選んだ商品に実際にのし紙等が掛けられた状態、即ち当該商品が贈呈先に贈られる状態を確認することができるので、のし紙等の選定は比較的容易である。
【０００３】
ところで、今日では、インターネット上のＥＣサイトにおいて、所望とする商品を購入する電子商取引がなされている。例えば、お中元、お歳暮等についても種々のＥＣサイトにおいて所望とする商品を選定し、購入し、所望とする相手方に贈呈（郵送）することができるようになっている。
【０００４】
【発明が解決しようとする課題】
しなしながら、インターネット上のＥＣサイトにて、お中元、お歳暮、慶事等に係る商品を選定し、購入する際には、複数の商品の中から所望とする商品を選び、のし紙の有無、そののし紙の表書きを指示することはできても、当該商品の箱に実際にのし紙が掛けられた状態やその表書きを事前に確認することは困難である。従って、顧客が意図していた状態とは異なる状態で商品にのし紙等が掛けられ包装され、所望とする相手方に贈呈（郵送）されてしまうような事態も生じ得る。
【０００５】
本発明は、上記問題に鑑みてなされたもので、その目的とするところは、インターネット上のＥＣサイトにて商品を購入する際に、のし紙等を選択し、表書きや名前を入力することを可能とし、加えて、最終的に商品にのし紙等が掛けられた状態を提示してクライアントに確認せしめることができる商品包装選択表示装置及び商品包装選択表示方法を提供することにある。
【０００６】
【課題を解決するための手段】
本発明は、かかる課題を解決するものであり、請求項１の発明は、クライアント端末と通信する通信手段と、少なくとも商品情報を予め記憶する第１の記憶手段と、少なくとも商品包装情報を予め記憶する第２の記憶手段と、上記クライアント端末装置からの商品選択情報に基づいて第１の記憶手段より商品情報を読み出し、当該商品情報に基づいて第２の記憶手段より商品包装情報を読み出し、上記商品情報及び上記商品包装情報に対応する商品包装選択情報を上記通信手段を介して上記クライアント端末装置に送信して商品包装状態の選択を促し、上記クライアント端末装置からの指定情報に対応する商品包装状態に係る画像イメージを生成し、当該画像イメージを上記通信手段を介して上記クライアント端末装置に送信するよう制御する制御手段と、を有することを特徴とする商品包装選択表示装置としたものである。
【０００７】
即ち、請求項１の発明では、通信手段によりクライアント端末との間で通信がなされ、第１の記憶手段により少なくとも商品情報が予め記憶され、第２の記憶手段により少なくとも商品包装情報が予め記憶されている。そして、特に、制御手段により、上記クライアント端末装置からの商品選択情報に基づいて第１の記憶手段より商品情報が読み出され、当該商品情報に基づいて第２の記憶手段より商品包装情報が読み出され、上記商品情報及び上記商品包装情報に対応する商品包装選択情報が上記通信手段を介して上記クライアント端末装置に送信されて商品包装状態の選択が促され、上記クライアント端末装置からの指定情報に対応する商品包装状態に係る画像イメージが生成され、当該画像イメージが上記通信手段を介して上記クライアント端末装置に送信される。
【０００８】
従って、請求項１の発明によれば、インターネット上のＥＣサイトにて商品を購入する際に、商品包装状態（例えば、のし紙、のし、水引等が付された状態をいう）を選択することを可能とし、加えて、最終的に商品が包装された状態を画像イメージで提示して、顧客に確認せしめることができる。
【０００９】
本発明の請求項２の発明は、上記商品情報に対応した画像イメージを記憶する第３の記憶手段を更に有し、上記制御手段は、上記商品情報に対応する画像イメージを当該第３の記憶手段より読み出し、上記指定情報と当該画像イメージに基づいて商品包装状態に係る画像イメージを生成する、ことを更なる特徴とする請求項１に記載の商品包装選択表示装置としたものである。
【００１０】
即ち、請求項２の発明では、第３の記憶手段により上記商品情報に対応した画像イメージが記憶され、上記制御手段により、上記商品情報に対応する画像イメージが当該第３の記憶手段より読み出され、上記指定情報と当該画像イメージに基づいて商品包装状態に係る画像イメージが生成される。
【００１１】
従って、請求項２の発明によれば、商品情報に対応した画像イメージが第３の記憶手段に予め記憶されていることから、制御手段は、当該画像イメージを指定情報に基づいて編集処理等するだけでよいことになり、画像イメージ生成に係る制御手段への負担が軽減されることになる。
【００１２】
本発明の請求項３の発明は、上記商品包装選択情報とは、商品包装選択画面を生成するための情報であり、当該商品包装選択画面では、のしの選択肢、水引の選択肢の少なくともいずれかを提示することを更なる特徴とする請求項１に記載の商品包装選択表示装置としたものである。
【００１３】
即ち、請求項３の発明では、上記商品包装選択情報に基づいて生成される商品包装選択画面にて、のしの選択肢、水引の選択肢の少なくともいずれかが提示される。
【００１４】
従って、請求項３の発明によれば、商品包装選択画面において、選択肢の中から所望とするものを選択するだけで、のし、水引の少なくともいずれかを選択することができるので、更に利便性が向上される。
【００１５】
本発明の請求項４の発明は、上記商品包装選択情報とは、商品包装選択画面を生成するための情報であり、当該商品包装選択画面では、のしの選択肢、水引の選択肢の少なくともいずれかを所定の画像イメージを含む態様で提示することを更なる特徴とする請求項１に記載の商品包装選択表示装置としたものである。
【００１６】
即ち、請求項４の発明では、上記商品包装選択情報に基づいて生成される当該商品包装選択画面にて、のしの選択肢、水引の選択肢の少なくともいずれかが所定の画像イメージを含む態様で提示される。
【００１７】
従って、請求項４の発明によれば、商品包装選択画面において、選択肢の中から所望とするものを選択するだけで、のしの選択肢、水引の選択の少なくともいずれかを、画像イメージを参照しつつ、選択することができるので、更に利便性が向上される。
【００１８】
本発明の請求項５の発明は、上記商品包装選択情報とは、商品包装選択画面を生成するための情報であり、当該商品包装選択画面では、複数の用途に対応したのし及び水引の組合せの選択肢を所定の画像イメージを含む態様で提示することを更なる特徴とする請求項１に記載の商品包装選択表示装置としたものである。
【００１９】
即ち、請求項５の発明では、上記商品包装選択情報に基づいて生成される商品包装選択画面にて、複数の用途に対応したのし及び水引の組合せの選択肢が所定の画像イメージを含む態様で提示される。
【００２０】
従って、請求項５の発明によれば、商品包装選択画面において、選択肢の中から所望とするものを選択するだけで、のし及び水引の組合せの選択を、例えば所望とする用途等に応じて、画像イメージを参照しつつ、選択することができるので、更に利便性が向上される。
【００２１】
本発明の請求項６の発明は、クライアント端末と通信自在な商品包装選択表示装置による商品包装選択表示方法において、制御手段により、上記クライアント端末装置からの商品選択情報に基づいて第１の記憶手段より商品情報を読み出し、当該商品情報に基づいて第２の記憶手段より商品包装情報を読み出し、上記商品情報及び上記商品包装情報に対応する商品包装選択情報を上記通信手段を介して上記クライアント端末装置に送信して商品包装状態の選択を促し、上記クライアント端末装置からの指定情報に対応する商品包装状態に係る画像イメージを生成し、当該画像イメージを上記通信手段を介して上記クライアント端末装置に送信するよう制御する、ことを特徴とする商品包装選択表示方法としたものである。
【００２２】
即ち、請求項６の発明では、クライアント端末と通信自在な商品包装選択表示装置による商品包装選択表示方法において、制御手段により、上記クライアント端末装置からの商品選択情報に基づいて第１の記憶手段より商品情報が読み出され、当該商品情報に基づいて第２の記憶手段より商品包装情報が読み出され、上記商品情報及び上記商品包装情報に対応する商品包装選択情報が上記通信手段を介して上記クライアント端末装置に送信されて商品包装状態の選択が促され、上記クライアント端末装置からの指定情報に対応する商品包装状態に係る画像イメージが生成され、当該画像イメージが上記通信手段を介して上記クライアント端末装置に送信される。
【００２３】
従って、請求項６の発明によれば、インターネット上のＥＣサイトにて商品を購入する際に、商品包装状態（例えば、のし紙、のし、水引等が付された状態をいう）を選択することを可能とし、加えて、最終的に商品が包装された状態を画像イメージで提示して、顧客に確認せしめることができる。
【００２４】
【発明の実施の形態】
以下、図面を参照して、本発明の実施の形態について説明する。
【００２５】
先ず、図１には本発明の第１の実施の形態に係る商品包装選択表示装置を適用したシステムの構成例を示し説明する。図１において、クライアント端末装置１ａ，１ｂ・・・は、インターネット等のネットワーク６を介して、サーバ２に通信自在に接続されている。そして、このサーバ２には、商品データベース（以下、ＤＢと略記する）３、のし紙ＤＢ４、画像ＤＢ５が接続されている。このサーバ２は、第１の実施の形態に係る商品包装選択表示装置に相当する。また、画像ＤＢ５は、第１の実施の形態においては任意的構成要素である。以下の説明では、複数のクライアント端末装置１ａ，１ｂを符号１をもって総称する。
【００２６】
クライアント端末装置１は、パーソナルコンピュータ、ＰＤＡ（ｐｅｒｓｏｎａｌ　ｄｉｇｉｔａｌ　ａｓｓｉｓｔａｎｔ）、携帯電話機等により構成されており、ここでは不図示ではあるが、制御部、記憶部、操作入力部、通信制御部等を備えている。更に、サーバ２は、インターネット上にＥＣサイトを提供する役割等を担うものであり、ここでは不図示ではあるが、制御部、記憶部、通信制御部等を備えている。
【００２７】
なお、請求項に記載の通信手段とはサーバ２内の通信制御部等に相当し、第１の記憶手段とは商品ＤＢ３等に相当し、第２の記憶手段とはのし紙ＤＢ４等に相当し、第３の記憶手段とは画像ＤＢ５に相当し、制御手段とはサーバ２内の制御部等に相当する。但し、これに限定されないことは勿論である。
【００２８】
ここで、商品ＤＢ３の記憶内容は、例えば図２に示される通りである。
【００２９】
即ち、商品ＤＢ３には、「商品情報」として、各商品毎に、品番、ＩＰＣ／ＪＡＮ、色フラグ、取引先コード、ブランド、取引先コード、商品名１、商品名２、商品記号、販売単価、メンバーズ価格、税区分、税率、配送区分、重量、形状　縦、形状　横、形状　奥行、のし号数、商品詳細等の情報が記憶されている。尚、これらは、商品情報の一例であって、商品情報はこれら情報の一部により構成されていても、更なる情報を含んでいてもよい事は勿論である。
【００３０】
さらに、のし紙ＤＢ４の記憶内容は、例えば図３に示される通りである。
【００３１】
即ち、のし紙ＤＢ４には、「のし情報」として、のし号数、印刷のし紙タイプ、水引、のし、表書き、イベント、表書き可能文字数、記名可能列数、表書き墨濃度等の情報が記憶されている。この「のし情報」は、請求項記載の商品包装情報に相当するものである。この例では、水引の情報には、真結び、輪結び、あわじ結び、老いの波、蝶結び等の情報が含まれており、のしの情報には、真のし、玉のし、飾りのし、印刷のしＡ、印刷のしＢ等の情報が含まれている。また、表書きの情報には、お中元、お歳暮、内祝、快気祝等の情報が含まれている。これらは、後述するのし情報選択画面を生成する際に参照される。尚、これらは、のし情報の一例であって、のし情報はこれら情報の一部により構成されていても、更なる情報を含んでいてもよい事は勿論である。
【００３２】
以下、図４のフローチャートを参照して、第１の実施の形態に係る商品包装選択表示装置を適用したシステムによる動作を説明する。尚、この動作は、第１の実施の形態に係る商品包装選択表示方法に相当する。
【００３３】
ここでは、図５乃至図７を適宜参照しつつ説明を進める。
【００３４】
さて、クライアント端末装置１により、ネットワーク６を介してサーバ２にアクセスがなされ、当該クライアント端末装置１にて不図示の操作入力部が操作される等して購入を所望とする商品が選択されると、選択された商品の詳細情報等が図５に示されるような態様で提示される。この例では、画面１００は、商品情報提示領域１０１、配送先提示領域１０２、のし紙（かけ紙）の選択領域１０３からなる。商品情報提示領域１０１には、商品名、品番、数量、販売価格、配送料、金額（小計、消費税、合計）等が表示されている（以下、この商品情報提示領域１０１に表示される各情報を商品選択情報と称する）。そして、配送先提示領域１０２には、配送先の名前、郵便番号、住所、電話番号、Ｅ−ｍａｉｌアドレス等が表示されている。のし紙（かけ紙）の選択領域１０３では、のし紙の要／不要を選択する釦が表示されている。そして、のし紙（かけ紙）の選択領域１０３ののし紙（かけ紙）の選択領域１０３において、のし紙が「要」と選択され、更に「次へ」の釦１０４がクリック等されると、商品選択情報がネットワーク６を介してサーバ２に送信される（ステップＳ１）。尚、のし紙（かけ紙）の選択領域１０３において、のし紙が「不要」と選択され、更に「次へ」の釦１０４がクリック等された場合には、不図示の購入商品最終確認画面が表示され、「戻る」の釦１０５がクリック等された場合には、不図示の商品選択画面が再表示される。
【００３５】
サーバ２では、この商品選択情報が受信されると（ステップＳ２）、当該商品選択情報をキーとされて、クライアントにより指定された商品情報、特に当該商品の箱のサイズの情報（この例では、形状　縦、形状　横、形状　奥行、からなる情報）が商品ＤＢ３より読み出され、取得される（ステップＳ３，Ｓ４）。
【００３６】
即ち、この例では、商品選択情報に含まれる商品の品番等がキーとされて、当該商品の箱のサイズの情報が商品ＤＢ３より読み出され、取得される。
【００３７】
但し、これに限定されないことは勿論である。
【００３８】
続いて、サーバ２では、この所得された箱のサイズの情報に対応したのし情報がのし紙ＤＢ４より読み出され、取得される（ステップＳ５，Ｓ６）。
【００３９】
尚、先に図２に示したように、商品ＤＢ３に、箱のサイズの情報に対応するのし号数の情報が予め記憶されている場合には、当該のし号数の情報も併せて読み出され、取得され、当該のし号数の情報がキーとされてのし紙ＤＢ４よりのし情報が読み出され、取得される。但し、これに限定されないことは勿論である。
【００４０】
そして、サーバ２により、取得されたのし情報に基づいてのし情報選択画面が生成されると、ネットワーク６を介して、クライアント端末装置１に、当該のし情報選択画面のファイルが送信される（ステップＳ７）。尚、当該のし情報選択画面のファイルは、請求項記載の商品包装選択情報に相当する。
【００４１】
クライアント端末装置１では、のし情報選択画面のファイルが受信されると（ステップＳ８）、不図示の制御部によりブラウザ等によって当該ファイルが解析され、のし情報選択画面が不図示の表示部に表示される（ステップＳ９）。
【００４２】
のし情報選択画面は、例えば図６に示される通りである。
【００４３】
即ち、のし情報選択画面１１０は、商品情報提示領域１１１、のし紙簡易設定領域１１２、のし紙詳細設定領域１１３からなる。先ず、商品情報提示領域１１１には、選択された商品の商品名、価格、形状等が表示される。
【００４４】
さらに、のし紙簡易設定領域１１２は、詳細には、表書き指示部１１２ａ、記名部１１２ｂ、イメージ確認指示釦１１２ｃ、参考画像部１１２ｄからなる。そして、参考画像部１１２ｄに示されるように、表書き指示部１１２ａにて指示された表書きがのし紙の「上書き」の欄に割り当てられ、記名部１１２ｂで入力された記名１〜３がのし紙の「記名１」「記名２」「記名３」の欄に割り当てられることになる。さらに、のし紙詳細設定領域１１３は、詳細には、表書き指示部１１３ａ、フリー入力部１１３ｂ、記名部１１３ｃ、のし選択部１１３ｄ、水引選択部１１３ｅ、参考画像部１１３ｆ、イメージ確認指示釦１１３ｇからなる。そして、参考画像部１１３ｆに示されるように、表書き指示部１１３ａにて指示された表書き又はフリー入力部１１３ｂにて入力された文字がのし紙の「上書き」の欄に割り当てられ、記名部１１３ｃで入力された記名１〜３がのし紙の「記名１」「記名２」「記名３」の欄に割り当てられることになる。
【００４５】
ここで、上記表書き指示部１１２ａ，１１３ａでは、図６に示したように、「のしなし」、「お中元」、「お歳暮」、「御礼」、「内祝」、「快気祝」、「御出産祝」、「御入学祝」・・・等といった図示の選択肢の中から所望とするものを選択することができるようになっている。上記のし選択部１１３ｄでは、図６に示したように、「真のし」、「玉のし」、「飾りのし」・・・等といった図示の選択肢の中から所望とするものを選択することができるようになっている。水引選択部１１３ｅでは、図６に示したように、「真結び」、「あわじ結び」、「蝶結び」、「輪結び」、「老いの波」・・・等といった選択肢の中から所望とするものを選択することができるようになっている。尚、上記表書き指示部１１２ａ，１１３ａ、のし選択部１１３ｄ、水引選択部１１３ｅにおける選択肢は、一例であり、これには限定されない。
【００４６】
上記のし情報選択画面１１０において、「戻る」釦１１５がクリック等されると図５に示した画面１００が再表示され、「次へ」釦１１４がクリック等されると不図示の購入商品最終確認画面が表示され、決済処理がなされる。
【００４７】
一方、のし情報選択画面１１０において、各種選択がなされ、「イメージ確認」の釦１１２ｃ又は１１３ｇがクリック等されると、クライアント端末装置１よりネットワーク６を介して指定情報がサーバ２に送信される（ステップＳ１０）。
【００４８】
サーバ２では、この指定情報が受信されると（ステップＳ１１）、先に取得した箱のサイズの情報に対応する画像データが画像ＤＢ５より読み出され、取得され（ステップＳ１２，Ｓ１３）、不図示の制御部により当該画像データと上記指定情報に基づいて、画像イメージデータが生成され、クライアント端末１側に送信される（ステップＳ１４）。ここで、この画像イメージは３次元ＣＧ等によるが、例えばローカル座標系により与えられた立体のモデルをワールド座標系内に配置し、更に視点やディスプレイ面などを設定して可視化を行う所謂レンダリングにより生成することが考えられる。画像ＤＢ５に記憶された画像データを指定情報に基づいて再加工するほか、このようなレンダリングにより生成してもよい。
【００４９】
こうして、クライアント端末装置１にて、この画像イメージデータが受信されると、不図示の制御部により解析され、不図示の表示に商品包装状態に係る画像イメージデータが表示される（ステップＳ１５，Ｓ１６）。
【００５０】
この画像イメージデータの画面は、例えば図７に示される通りであり、商品がクライアントにより指定されたのし紙で包装され、更にクライアントにより指定された表書き、記名、のし、水引が付された状態がポップアップウィンドウで提示されることになる。この３次元表示は、マウス操作等により視点を変更することもできるようになっている。こうして、一連の処理が終了される。
【００５１】
以上説明したように、本発明の第１の実施の形態によれば、インターネット上のＥＣサイトにて商品を購入する際に、のし紙等を選択し、表書きや名前を入力することを可能とし、加えて、最終的に商品にのし紙等が掛けられた状態を画像イメージで提示して、顧客に確認せしめることができる。
【００５２】
次に本発明の第２の実施の形態について説明する。
【００５３】
この第２の実施の形態に係る商品包装選択表示装置及び方法は、のし選択及び水引選択を画像イメージを参照しつつ行うことができるようにしたものである。
【００５４】
以下、第１の実施の形態と相違する点のみを説明する。
【００５５】
先に示した第１の実施の形態では、のし情報選択画面１１０において、のし選択部１１３ｄ、水引選択部１１３ｅで、複数の選択肢（文字）より、のし、水引を選択していたが、この第２の実施の形態では、図８に示されるように、「イメージ選択」釦１３０ａ，１３０ｂを新たに設け、文字及び画像イメージに基づいて所望とする、のしや水引を選択することができるようになっている。
【００５６】
即ち、図８の「イメージ選択」釦１３０ａがクリック等されると、図９に示される画面１４０がポップアップウィンドウ等により表示される。
【００５７】
図９の画面１４０では、各種のしの画像イメージとその名称が選択自在に表示され、一ののしが選択されて決定釦１４０ｂがクリック等されると、所望とするのしが選択される。尚、「次候補」釦１４０ａがクリック等されると更なるのしの選択肢が表示されるように画面１４０が更新され、「閉じる」釦１４０ｃがクリック等されると、当該画面１４０に係るポップアップウィンドウが閉じられる。
【００５８】
また、図８の「イメージ選択」釦１３０ｂがクリック等されると、図１０に示される画面１５０がポップアップウィンドウ等により表示される。
【００５９】
図１０の画面１５０では、各種水引の画像イメージとその名称が選択自在に表示され、一の水引が選択されて決定釦１５０ｂがクリック等されると、所望とする水引が選択される。尚、「次候補」釦１５０ａがクリック等されると更なる水引の選択肢が表示されるように画面１５０が更新され、「閉じる」釦１５０ｃがクリック等されると当該画面１５０に係るポップアップウィンドウが閉じられる。
【００６０】
以上説明したように、本発明の第２の実施の形態によれば、上記第１の実施の形態による効果に加えて、のしや水引を画像イメージに基づいて選択することができるので、クライアント側の利便性が更に向上されることになる。
【００６１】
次に本発明の第３の実施の形態について説明する。
【００６２】
この第３の実施の形態に係る商品包装選択表示装置及び方法は、のし選択及び水引選択の組合せを画像イメージを参照しつつ簡易に行うことができるようにしたものである。以下、第１の実施の形態と相違する点のみを説明する。
【００６３】
先に示した第１の実施の形態による、のし紙簡易設定では、表書き、記名のみ設定する仕様であり、のし、水引を選択する場合には、のし紙詳細設定を行う必要があった。これに対して、第３の実施の形態に係る商品包装選択表示装置及び方法では、画像イメージに基づいて、のし及び水引の組合せを簡易に選択できるような仕様としている。即ち、図１１の「イメージで選択」釦１６０ａがクリック等されると、図１２に示される画面１７０がポップアップウィンドウ等により表示される。この図１２の画面１７０では、用途（この例では、「結納・結婚関連１」、「結納・結婚関連２」、「懐妊出産」、「入園・入学・卒業等」）に応じてのし及び水引の組合せを、各画像イメージを参照しつつ、選択することができるようになっている。この画面１７０にて、一の組合せが選択され、決定釦１７０ｂがクリック等されると、所望とする組合せが選択される。
【００６４】
尚、「次候補」釦１７０ａがクリック等されると更なる選択肢が表示されるように画面１７０が更新され、「閉じる」釦１７０ｃがクリック等されると、当該画面１７０に係るポップアップウィンドウが閉じられる。
【００６５】
以上説明したように、本発明の第３の実施の形態によれば、上記第１の実施の形態による効果に加えて、のしや水引の組合せを画像イメージに基づいて簡易に選択することができるので、クライアント側の利便性が更に向上される。
【００６６】
また、第３の実施の形態では、のし、水引のそれぞれについてクライアントに知識がなければ好適なものを選択することが困難な場合も生じ得たが、この第３の実施の形態では、用途に応じて適切な組合せが選択自在となっているので、より簡易かつ迅速にのし及び水引を選択することができることになる。
【００６７】
以上、本発明の第１乃至第３の実施の形態について説明したが、本発明は上記第１乃至第３の実施の形態に限定されるものではなく、その趣旨を逸脱しない範囲で種々の改良・変更が可能である。例えば、上記実施の形態では、のし、水引等を選択肢から選択し、或いは選択肢及び画像イメージから選択していたが、これに限定されるものではなく、音声ガイド等をすることも考えられる。
【００６８】
最後に、本発明には、以下の如き発明も含まれることは勿論である。
【００６９】
即ち、第１に、クライアント端末と通信自在な商品包装選択表示装置による商品包装選択表示方法において、制御手段により、上記クライアント端末装置からの商品選択情報に基づいて第１の記憶手段より商品情報を読み出し、当該商品情報に基づいて第２の記憶手段より商品包装情報を読み出し、上記商品情報及び上記商品包装情報に対応する商品包装選択情報を上記通信手段を介して上記クライアント端末装置に送信して商品包装状態の選択を促し、上記クライアント端末装置からの指定情報に対応する商品包装状態に係る画像イメージを生成し、当該画像イメージを上記通信手段を介して上記クライアント端末装置に送信するよう制御する、ことを特徴とする商品包装選択表示方法である。
【００７０】
この商品包装選択表示方法は、上記制御手段により、上記商品情報に対応する画像イメージを当該第３の記憶手段より読み出し、上記指定情報と当該画像イメージに基づいて商品包装状態に係る画像イメージを生成することを更なる特徴とする。さらに、この商品包装選択表示方法では、上記商品包装選択情報とは、商品包装選択画面を生成するための情報であり、当該商品包装選択画面では、のしの選択肢、水引の選択肢の少なくともいずれかを提示することを更なる特徴とする。また、この商品包装選択表示方法では、上記商品包装選択情報とは、商品包装選択画面を生成するための情報であり、当該商品包装選択画面では、のしの選択肢、水引の選択肢の少なくともいずれかを所定の画像イメージを含む態様で提示することを更なる特徴とする。更に、この商品包装選択表示方法では、上記商品包装選択情報とは、商品包装選択画面を生成するための情報であり、当該商品包装選択画面では、複数の用途に対応したのし及び水引の組合せの選択肢を所定の画像イメージを含む態様で提示することを更なる特徴とする。
【００７１】
第２に、クライアント端末と通信自在な商品包装選択表示装置に、上記クライアント端末装置からの商品選択情報に基づいて第１の記憶手段より商品情報を読み出すステップと、当該商品情報に基づいて第２の記憶手段より商品包装情報を読み出すステップと、上記商品情報及び上記商品包装情報に対応する商品包装選択情報を上記通信手段を介して上記クライアント端末装置に送信して商品包装状態の選択を促すステップと、上記クライアント端末装置からの指定情報に対応する商品包装状態に係る画像イメージを生成するステップと、当該画像イメージを上記通信手段を介して上記クライアント端末装置に送信するステップと、を実行させるための商品包装選択表示プログラムである。
【００７２】
この商品包装選択表示プログラムは、上記商品情報に対応する画像イメージを当該第３の記憶手段より読み出し、上記指定情報と当該画像イメージに基づいて商品包装状態に係る画像イメージを生成するステップを実行させることを更なる特徴とする。さらに、この商品包装選択表示プログラムでは、上記商品包装選択情報とは、商品包装選択画面を生成するための情報であり、当該商品包装選択画面では、のしの選択肢、水引の選択肢の少なくともいずれかを提示することを更なる特徴とする。そして、この商品包装選択表示プログラムでは、上記商品包装選択情報とは、商品包装選択画面を生成するための情報であり、当該商品包装選択画面では、のしの選択肢、水引の選択肢の少なくともいずれかを所定の画像イメージを含む態様で提示することを更なる特徴とする。さらに、この商品包装選択表示プログラムでは、上記商品包装選択情報とは、商品包装選択画面を生成するための情報であり、当該商品包装選択画面では、複数の用途に対応したのし及び水引の組合せの選択肢を所定の画像イメージを含む態様で提示することを更なる特徴とする。
【００７３】
第３に、クライアント端末と通信自在な商品包装選択表示装置に、上記クライアント端末装置からの商品選択情報に基づいて第１の記憶手段より商品情報を読み出すステップと、当該商品情報に基づいて第２の記憶手段より商品包装情報を読み出すステップと、上記商品情報及び上記商品包装情報に対応する商品包装選択情報を上記通信手段を介して上記クライアント端末装置に送信して商品包装状態の選択を促すステップと、上記クライアント端末装置からの指定情報に対応する商品包装状態に係る画像イメージを生成するステップと、当該画像イメージを上記通信手段を介して上記クライアント端末装置に送信するステップと、を実行させる商品包装選択表示プログラムを記録した記録媒体である。
【００７４】
この記録媒体は、上記商品情報に対応する画像イメージを当該第３の記憶手段より読み出し、上記指定情報と当該画像イメージに基づいて商品包装状態に係る画像イメージを生成するステップを実行させることを更なる特徴としている。そして、この記録媒体では、上記商品包装選択情報とは、商品包装選択画面を生成するための情報であり、当該商品包装選択画面では、のしの選択肢、水引の選択肢の少なくともいずれかを提示することを更なる特徴としている。さらに、この記録媒体では、上記商品包装選択情報とは、商品包装選択画面を生成するための情報であり、当該商品包装選択画面では、のしの選択肢、水引の選択肢の少なくともいずれかを所定の画像イメージを含む態様で提示することを更なる特徴としている。また、この記録媒体では、上記商品包装選択情報とは、商品包装選択画面を生成するための情報であり、当該商品包装選択画面では、複数の用途に対応したのし及び水引の組合せの選択肢を所定の画像イメージを含む態様で提示することを更なる特徴としている。
【００７５】
【発明の効果】
以上詳述したように、請求項１の発明によれば、インターネット上のＥＣサイトにて商品を購入する際に、商品包装状態（例えば、のし紙、のし、水引等が付された状態をいう）を選択することを可能とし、加えて、最終的に商品が包装された状態を画像イメージで提示して、顧客に確認せしめることができる商品包装選択装置を提供することができる。そして、請求項２の発明によれば、商品情報に対応した画像イメージを第３の記憶手段に予め記憶しておき、制御手段が当該画像イメージを指定情報に基づいて編集処理等することで画像イメージを生成することができるようにすることで当該制御手段への負担を軽減した商品包装選択装置を提供することができる。さらに、請求項３の発明によれば、商品包装選択画面において、選択肢の中から所望とするものを選択するだけで、のし、水引の少なくともいずれかを選択することができることとして、更にクライアントの利便性を向上した商品包装選択装置を提供することができる。そして、請求項４の発明によれば、商品包装選択画面において、選択肢の中から所望とするものを選択するだけで、のしの選択肢、水引の選択の少なくともいずれかを、画像イメージを参照しつつ、選択することができることとして、更にクライアントの利便性を向上した商品包装選択装置を提供することができる。さらに、請求項５の発明によれば、商品包装選択画面において、選択肢の中から所望とするものを選択するだけで、のし及び水引の組合せの選択を例えば所望とする用途等に応じて画像イメージを参照しつつ選択することができることとして、更にクライアントの利便性を向上した商品包装選択装置を提供することができる。
【００７６】
請求項６の発明によれば、インターネット上のＥＣサイトにて商品を購入する際に、商品包装状態（例えば、のし紙、のし、水引等が付された状態をいう）を選択することを可能とし、加えて、最終的に商品が包装された状態を画像イメージで提示して、顧客に確認せしめることができる商品包装選択方法を提供することができる。
【図面の簡単な説明】
【図１】本発明の第１の実施の形態に係る商品包装選択表示装置を適用した構成例を示す図である。
【図２】商品ＤＢ３の記憶内容を示す図である。
【図３】のし紙ＤＢ４の記憶内容を示す図である。
【図４】第１の実施の形態に係る商品包装選択表示装置を適用したシステムによる動作を説明するためのフローチャートである。
【図５】選択された商品の詳細情報等を提示する画面１００を示す図である。
【図６】のし情報選択画面１１０を示す図である。
【図７】画像イメージ画面１２０を示す図である。
【図８】第２の実施の形態によるのし情報選択画面１３０を示す図である。
【図９】のし選択用のポップアップウィンドウの画面１４０を示す図である。
【図１０】水引選択用のポップアップウィンドウの画面１５０を示す図である。
【図１１】第３の実施の形態によるのし情報選択画面１６０を示す図である。
【図１２】のし選択用のポップアップウィンドウの画面１７０を示す図である。
【符号の説明】
１　クライアント端末装置
２　サーバ
３　商品ＤＢ
４　のし紙ＤＢ
５　画像ＤＢ
６　ネットワーク
【図１】
2004046635.tif 000003
【図２】
2004046635.tif 000004
【図３】
2004046635.tif 000005
【図４】
2004046635.tif 000006
【図５】
2004046635.tif 000007
【図６】
2004046635.tif 000008
【図７】
2004046635.tif 000009
【図８】
2004046635.tif 000010
【図９】
2004046635.tif 000011
【図１０】
2004046635.tif 000012
【図１１】
2004046635.tif 000013
【図１２】
2004046635.tif 000014